(57)【要約】【課題】ＦＰＤ装置に複数の放射線画像データを記憶させると、放射線画像データと撮影オーダ情報とを確実に対応付けることが困難となる。【解決手段】コンソール７は、記憶部２１に記憶された撮影オーダ情報リストの中から一の撮影オーダ情報を選択し、当該一の撮影オーダ情報をサーバ２に送信する。サーバ２は、送信された一の撮影オーダ情報と他の撮影オーダ情報とが所定の関係を有するか否かを判別し、所定の関係を有する撮影オーダ情報のみを放射線画像検出装置６に送信する。【選択図】図１０
2008154720.tif 000002
【特許請求の範囲】
【請求項１】
被写体を透過した放射線を検出することにより放射線画像データを生成する放射線画像検出装置と、
放射線撮影に係る撮影オーダ情報を選択する制御装置と、
該制御装置により選択された撮影オーダ情報を含む少なくとも二以上の撮影オーダ情報を前記放射線画像検出装置に送信する管理装置と、が通信可能に接続され、
前記管理装置から送信された少なくとも二以上の撮影オーダ情報に基づいて放射線撮影が実行される際に、前記放射線画像検出装置により前記二以上の撮影オーダ情報に対応する放射線画像データを生成及び記憶可能な放射線画像撮影システムであって、
前記制御装置は、
前記二以上の撮影オーダ情報を選択するにあたり、複数の撮影オーダ情報の中から少なくとも一の撮影オーダ情報を選択する選択手段と、
該選択手段により選択された一の撮影オーダ情報を前記管理装置に送信する第１の送信部と、を備え、
前記管理装置は、
前記第１の送信部により送信された一の撮影オーダ情報を受信する受信部と、
該受信部により受信した一の撮影オーダ情報と、当該一の撮影オーダ情報とは異なる他の撮影オーダ情報と、が所定の関係を有するか否かを判別する判別手段と、
該判別手段により所定の関係を有すると判別された他の撮影オーダ情報のみに追加選択の許可を与える許可手段と、
前記一の撮影オーダ情報と前記許可手段によって追加選択の許可が与えられた他の撮影オーダ情報とを前記放射線画像検出装置に送信する第２の送信部と、
を備えることを特徴とする放射線画像撮影システム。
【請求項２】
前記判別手段は、前記受信部により一の撮影オーダ情報を受信すると、当該一の撮影オーダ情報と予め記憶された複数の撮影オーダ情報のそれぞれと、が所定の関係を有するか否かを自動的に判別することを特徴とする請求項１に記載の放射線画像撮影システム。
【請求項３】
前記判別手段は、撮影オーダ情報に含まれる撮影部位、撮影方向のうち少なくとも一方に基づいて所定の関係を有するか否かを判別することを特徴とする請求項１または２に記載の放射線画像撮影システム。
【請求項４】
前記判別手段は、撮影オーダ情報に含まれる患者情報に基づいて所定の関係を有するか否かを判別することを特徴とする請求項１乃至３の何れか１項に記載の放射線画像撮影システム。
【請求項５】
放射線撮影に係る少なくとも一の撮影オーダ情報を選択する制御装置と、前記一の撮影オーダ情報を含む少なくとも二以上の撮影オーダ情報を受信し、当該二以上の撮影オーダ情報に対応する放射線画像データの生成及び記憶が可能な放射線画像検出装置と、通信可能に接続される管理装置であって、
前記二以上の撮影オーダ情報を選択するにあたり、前記制御装置により選択された一の撮影オーダ情報を受信する受信部と、
該受信部により受信した一の撮影オーダ情報と、当該一の撮影オーダ情報とは異なる他の撮影オーダ情報と、が所定の関係を有するか否かを判別する判別手段と、
該判別手段により所定の関係を有すると判別された他の撮影オーダ情報のみに追加選択の許可を与える許可手段と、
前記一の撮影オーダ情報と前記許可手段により追加選択の許可が与えられた撮影オーダ情報とを前記放射線画像検出装置に送信する撮影オーダ情報送信部と、
を有することを特徴とする管理装置。
【請求項６】
前記判別手段は、前記受信部により一の撮影オーダ情報を受信すると、当該一の撮影オーダ情報と予め記憶された複数の撮影オーダ情報のそれぞれと、が所定の関係を有するか否かを自動的に判別することを特徴とする請求項５に記載の管理装置。
【請求項７】
前記判別手段は、撮影オーダ情報に含まれる撮影部位、撮影方向のうち少なくとも一方に基づいて所定の関係を有するか否かを判別することを特徴とする請求項５または６に記載の管理装置。
【請求項８】
前記判別手段は、撮影オーダ情報に含まれる患者情報に基づいて所定の関係を有するか否かを判別することを特徴とする請求項５乃至７の何れか１項に記載の管理装置。
【発明の詳細な説明】
【技術分野】
【０００１】
本発明は、放射線画像検出装置により放射線を検出して生成された放射線画像データを受信する複数の制御装置と当該複数の制御装置を管理する管理装置とを用いた放射線画像撮影システム及びその管理装置に関する。
【背景技術】
【０００２】
医療診断の場においては、放射線画像をデジタルデータとして取り扱うことのできるＣＲ（Ｃｏｍｐｕｔｅｄ  Ｒａｄｉｏｇｒａｐｈｙ）システムが実用化されている。このＣＲシステムは、ＣＲカセッテに内蔵された蛍光体プレートを励起光で走査することにより放射線画像データを読み取る読取装置と、当該読取装置で読み取られた放射線画像データを取得する制御装置（コンソールともいわれる）とが接続されて構成されている。そして、放射線撮影室で放射線が照射されたＣＲカセッテを読取装置で読み取り、得られた放射線画像データを制御装置に送信して表示することで、放射線技師は最適な放射線画像データが得られたか否かを確認することができる。
【０００３】
近年では、複数の放射線撮影室を備える医療機関等での使用に対応するため、複数の読取装置と複数の制御装置とをネットワークで接続した大規模なＣＲシステムの導入が提案されている（特許文献１参照）。この特許文献１に記載されるような大規模ＣＲシステムにおいては、撮影する患者が一度に複数存在し、また撮影操作する放射線技師も複数存在するため、患者間で放射線画像データの取り違えが生じる恐れがある。そこで、予め、患者情報（患者の氏名、年齢など）や撮影情報（撮影日時、撮影部位、撮影方向など）などが含まれた撮影オーダ情報と呼ばれる指示情報を生成し、当該撮影オーダ情報とＣＲカセッテを識別するためのカセッテＩＤ（識別情報）とを対応付けて登録しておく方法がとられている。このように一の撮影オーダ情報と一のＣＲカセッテとを対応付けることにより、ＣＲカセッテを読取装置により読み取って得られた放射線画像データは、ＣＲカセッテのカセッテＩＤに基づいて撮影オーダ情報に対応付けられるので、放射線画像データの取り違えを防止することが可能となる。
【０００４】
一方、上述したＣＲカセッテに代わり、基板上に２次元的に配列された放射線検出素子を内蔵し、当該放射線検出素子に照射された放射線量に応じた電気信号を出力することが可能なＦＰＤ（Ｆｌａｔ  Ｐａｎｅｌ  Ｄｅｔｅｃｔｏｒ）装置が放射線画像検出装置として提案されている（例えば、特許文献２参照）。このＦＰＤ装置を用いれば、励起光を照射して放射線画像を読み取る読取装置を必要とせず、直接的に放射線画像データを得ることができるので、ＣＲカセッテを用いた場合よりもシステム自体を簡素化することが可能となり、撮影作業も円滑となる。また、ＦＰＤ装置に内蔵された記憶部により複数の放射線画像データを記憶することができるので、一度に連続して複数の撮影を行うことが可能となり、撮影効率が向上する。
【０００５】
このようなＦＰＤ装置の優れた利便性から、特許文献２に開示されているように、今後は、上述した大規模ＣＲシステムにもＦＰＤ装置が適用されることが想定される。
【特許文献１】特開２００２−１５９４７６号公報
【特許文献２】特開２００６−１２２３０４号公報
【発明の開示】
【発明が解決しようとする課題】
【０００６】
しかしながら、ＦＰＤ装置は一度に複数の放射線画像データを記憶できるという利便性を有するが故に、撮影オーダ情報と放射線画像データとを誤って対応付けてしまう可能性が高くなり、更にこの誤った対応付けに気づかないまま診察が進んでしまうという問題が発生する。すなわち、一のＦＰＤ装置に複数の放射線画像データを記憶させると、喩え、事前に複数の放射線画像データに関する複数の撮影オーダ情報とＦＰＤ装置の識別情報とを対応付けて登録しておいたとしても、放射線撮影を実行する順序を入れ替えてしまった場合には、結果的に放射線画像データと撮影オーダ情報とが誤って対応付けられてしまう。このとき、複数の放射線画像データが、例えば、撮影部位が同一である（あるいは類似する）複数の患者の放射線画像データであると、放射線画像データをそれぞれ見分けることができず、誤った対応付けに気づくことは困難である。このため、放射線画像データと撮影オーダ情報とを正確に対応付けることが困難となり、ひいては重大な医療ミスに繋がることが危惧される。
【０００７】
そこで本発明は、上記の課題に鑑みてなされたものであって、放射線画像検出装置としてＦＰＤ装置を使用した場合であっても、撮影オーダ情報と放射線画像データとを正確に対応付けることが可能である放射線画像撮影システム及び管理装置の提供を目的とする。
【課題を解決するための手段】
【０００８】
上記目的を達成するため本発明の放射線画像撮影システムは、被写体を透過した放射線を検出することにより放射線画像データを生成する放射線画像検出装置と、放射線撮影に係る撮影オーダ情報を選択する制御装置と、該制御装置により選択された撮影オーダ情報を含む少なくとも二以上の撮影オーダ情報を前記放射線画像検出装置に送信する管理装置と、が通信可能に接続され、前記管理装置から送信された少なくとも二以上の撮影オーダ情報に基づいて放射線撮影が実行される際に、前記放射線画像検出装置により前記二以上の撮影オーダ情報に対応する放射線画像データを生成及び記憶可能な放射線画像撮影システムであって、前記制御装置は、前記二以上の撮影オーダ情報を選択するにあたり、複数の撮影オーダ情報の中から少なくとも一の撮影オーダ情報を選択する選択手段と、該選択手段により選択された一の撮影オーダ情報を前記管理装置に送信する第１の送信部と、を備え、前記管理装置は、前記第１の送信部により送信された一の撮影オーダ情報を受信する受信部と、該受信部により受信した一の撮影オーダ情報と、当該一の撮影オーダ情報とは異なる他の撮影オーダ情報と、が所定の関係を有するか否かを判別する判別手段と、該判別手段により所定の関係を有すると判別された他の撮影オーダ情報のみに追加選択の許可を与える許可手段と、前記一の撮影オーダ情報と前記許可手段によって追加選択の許可が与えられた他の撮影オーダ情報とを前記放射線画像検出装置に送信する第２の送信部と、を備えることを特徴とする。
【０００９】
また、上記目的を達成するため本発明の管理装置は、放射線撮影に係る少なくとも一の撮影オーダ情報を選択する制御装置と、前記一の撮影オーダ情報を含む少なくとも二以上の撮影オーダ情報を受信し、当該二以上の撮影オーダ情報に対応する放射線画像データの生成及び記憶が可能な放射線画像検出装置と、通信可能に接続される管理装置であって、前記二以上の撮影オーダ情報を選択するにあたり、前記制御装置により選択された一の撮影オーダ情報を受信する受信部と、該受信部により受信した一の撮影オーダ情報と、当該一の撮影オーダ情報とは異なる他の撮影オーダ情報と、が所定の関係を有するか否かを判別する判別手段と、該判別手段により所定の関係を有すると判別された他の撮影オーダ情報のみに追加選択の許可を与える許可手段と、前記一の撮影オーダ情報と前記許可手段により追加選択の許可が与えられた撮影オーダ情報とを前記放射線画像検出装置に送信する撮影オーダ情報送信部と、を有することを特徴とする。
【発明の効果】
【００１０】
本発明によれば、一の撮影オーダ情報が選択されると、当該一の撮影オーダ情報と所定の関係を有する撮影オーダ情報のみに追加選択の許可が与えられる。このため、操作者は放射線画像データをそれぞれ見分ける（区別する）ことができるので、放射線画像データと撮影オーダ情報とが誤って対応付けられていたとしてもその誤りを容易に判断することが可能となる。したがって、放射線画像データと撮影オーダ情報とを正確に対応付けることが可能となり、放射線画像データの取り違えを防止し、ひいては医療ミスの発生を抑止することができる。
【発明を実施するための最良の形態】
【００１１】
以下、図面を参照して本発明の実施の形態を説明する。なお、本実施の形態の説明における記載により、本発明の技術的範囲が限定されることはない。
【００１２】
図１は、本発明に係るＲＩＳ（Ｒａｄｉｏｌｏｇｙ  Ｉｎｆｏｍａｔｉｏｎ  Ｓｙｓｔｅｍ）１における一実施形態の概略構成を示す図である。
【００１３】
本実施形態による、放射線画像撮影システムＲＩＳ１は、図１に示すように、放射線撮影に関する情報を管理するサーバ２と、放射線撮影に関する操作を行う撮影操作装置４と、例えば無線ＬＡＮ（Ｌｏｃａｌ  Ａｒｅａ  Ｎｅｔｗｏｒｋ）により無線通信を行うための基地局５と、放射線画像検出装置６により生成された放射線画像データに画像処理を行うコンソール７とがネットワーク８を通じて接続されて構成されている。なお、ここでは図示していないが、ＲＩＳ１は、患者診断情報や会計情報を一元管理するＨＩＳ（Ｈｏｓｐｉｔａｌ  Ｉｎｆｏｒｍａｔｉｏｎ  Ｓｙｓｔｅｍ）とネットワーク８を介して接続されている。ネットワーク８は、当該システム専用の通信回線であっても良いが、システム構成の自由度が低くなってしまう等の理由のため、イーサネット（登録商標）等の既存の回線である方が好ましい。
【００１４】
撮影操作装置４にはケーブル９を介して、被写体に放射線を照射して放射線撮影を行う放射線画像撮影装置３が接続されている。そして、放射線画像撮影装置３、基地局５などは放射線撮影室１００内に備えられている。なお、撮影操作装置４を放射線撮影室１００内に備えるように構成しても良い。また、サーバ２を除く他の装置は、ＲＩＳ１を設置する施設の規模、形態に合わせて複数設けられて接続されている。そして、一の放射線画像検出装置６により複数の放射線撮影室１００をまたがって複数の放射線撮影を行うことが可能となっている。
【００１５】
放射線画像撮影装置３は、臥位撮影台１１に横たわっている被写体である患者１２に対して放射線を照射するようになっており、臥位撮影台１１の下方には、放射線画像検出装置６を装着する検出装置装着口１１ａが設けられている。放射線画像撮影装置３は、撮影操作装置４により制御されて所定の撮影条件で放射線撮影を行うようになっている。
【００１６】
基地局５は、サーバ２と放射線画像検出装置６とが無線通信する際に、これらの通信を中継する機能をもつ。
〈サーバ〉
図５は、サーバ２の要部構成を示すブロック図である。
【００１７】
管理装置としてのサーバ２は、図に示すように、制御部２５、ＲＡＭ２６、ＲＯＭ２７、撮影オーダ情報記憶部２８、入力操作部２９、表示部３０、通信部３１等を備えるコンピュータで構成されており、各部はバス３２により接続されている。
【００１８】
ＲＯＭ（Ｒｅａｄ  Ｏｎｌｙ  Ｍｅｍｏｒｙ）２７は、不揮発性の半導体メモリ等により構成され、制御部２５で実行される制御プログラム等を記憶する。
【００１９】
ＲＡＭ（Ｒａｎｄｏｍ  Ａｃｃｅｓｓ  Ｍｅｍｏｒｙ）２６は、制御部２５により実行制御される各種処理において、ＲＯＭ２７から読み出された制御部２５で実行可能な各種プログラム、入力若しくは出力データ、及びパラメータ等の一時的に記憶するワークエリアを形成する。
【００２０】
撮影オーダ情報記憶部２８は、患者情報と撮影情報とが対応付けられて生成される複数の撮影オーダ情報を記憶している。図６は、複数の撮影オーダ情報からなる撮影オーダ情報リストの一例を示す図である。図６に示すように、各撮影オーダ情報は、患者情報としての「患者ＩＤ」Ｐ２、「患者氏名」Ｐ３、「性別」Ｐ４、「年齢」Ｐ５及び撮影情報としての「診療科」Ｐ６、「撮影部位」Ｐ７、「撮影方向」Ｐ８を含んで構成されている。そして、撮影オーダを受け付けた順に、それぞれの撮影オーダ情報に対して「撮影オーダＩＤ」Ｐ１が自動的に割り当てられるようになっている。なお、患者情報や撮影情報としては上述したものに限られることなく、例えば、患者の生年月日、診察回数、放射線の線量などの情報を含むようにしても構わない。また、これらの情報を全て含む必要はなく、撮影目的、撮影フローなどに合わせて撮影オーダ情報に含む情報を適宜設定することができる。
【００２１】
入力操作部２９は、例えば、キーボードやマウス等から構成されており、キーボードで押下操作されたキーの押下信号やマウスによる操作信号を、入力信号として制御部２９に対して出力するようになっている。具体的には、上述した患者情報と撮影情報とを入力したり、サーバ２の各種設定情報を入力したりすることができる。
【００２２】
表示部３０は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部２５から出力され入力される表示信号の指示に従って、撮影オーダ情報の入力画面などの各種画面を表示するようになっている。
【００２３】
撮影オーダ情報送信部、第２の送信部及び受信部としての通信部３１は、複数のコンソール７との間で各種情報の通信を行うためのインターフェースであり、ＵＳＢ（Ｕｎｉｖｅｒｓａｌ  Ｓｅｒｉａｌ  Ｂｕｓ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４などの規格により、ネットワーク８と接続されている。また、ＩＥＥＥ８０２．１１規格に準拠した無線ＬＡＮにより、ネットワーク８に接続された基地局５を介して放射線画像検出装置６との間で各種情報の無線通信を行う。なお、無線通信としては、電波（空間波）を用いるものの他に、赤外線や可視光線等（レーザー等）を用いた光無線通信、音波または超音波を用いた音響通信も含まれる。
【００２４】
制御部２５は、例えば、ＣＰＵ（Ｃｅｎｔｒａｌ  Ｐｒｏｃｅｓｓｉｎｇ  Ｕｎｉｔ）等から構成され、ＲＯＭ１６に格納される所定のプログラムを読み出してＲＡＭ１５の作業領域に展開し、当該プログラムに従って各種処理を実行する。例えば、入力操作部２９から入力された患者情報と撮影情報とを対応付けて撮影オーダ情報を生成し、生成された複数の撮影オーダ情報を撮影オーダ情報記憶部２８に記憶させるようになっている。また、コンソール７から送信された一の撮影オーダ情報と撮影オーダ情報記憶部２８に記憶された他の撮影オーダ情報とを比較し、他の撮影オーダ情報が所定の関係であるか否かを判別するようになっている。すなわち、この制御部２５が本実施の形態における判別手段に相当する。
〈コンソール〉
図２は、コンソール７の要部構成を示すブロック図である。
【００２５】
制御装置としてのコンソール７は、基本的にはサーバ２とほぼ同様のハードウェア構成であり、図２に示すように、制御部１４、ＲＡＭ１５、ＲＯＭ１６、表示部１７、入力操作部１８、通信部１９、記憶部２１等を備えるコンピュータで構成されており、各部はバス２０により接続されている。
【００２６】
ＲＯＭ１６は、不揮発性の半導体メモリ等により構成され、制御部１４で実行される制御プログラムや画像処理条件等を記憶する。
【００２７】
ＲＡＭ１５は、制御部１４により実行制御される各種処理において、ＲＯＭ１６から読み出された制御部１４で実行可能な各種プログラム、入力若しくは出力データ、及びパラメータ等を一時的に記憶するワークエリアを形成する。
【００２８】
表示部１７は、例えば、ＣＲＴやＬＣＤ等を備えて構成され、制御部１４から出力され入力される表示信号の指示に従って、各種画面を表示するようになっている。例えば、後述する通信部１９を介してサーバ２から受信した複数の撮影オーダ情報や放射線画像検出装置６から受信した放射線画像データを表示する。
【００２９】
入力操作部１８は、例えば、キーボードやマウス等から構成されており、キーボードで押下操作されたキーの押下信号やマウスによる操作信号を、入力信号として制御部１４に対して出力するようになっている。具体的には、放射線画像検出装置６に割り当てられた識別情報としてのカセッテＩＤを入力したり、表示部１７に表示された複数の撮影オーダ情報の中から一の撮影オーダ情報を入力したりすることができる。なお、入力操作部１８としてバーコードリーダを用い、放射線画像検出装置６に付与されたバーコードを読み取ることにより、放射線画像検出装置６のカセッテＩＤを入力するように構成しても良い。
【００３０】
第１の送信部としての通信部１９は、サーバ２や放射線画像検出装置６と各種情報の通信を行うためのインターフェースであり、ＵＳＢやＩＥＥＥ１３９４などの規格により、ネットワーク８と接続されている。
【００３１】
制御部１４は、例えば、ＣＰＵ等から構成され、ＲＯＭ１６に格納される所定のプログラムを読み出してＲＡＭ１５の作業領域に展開し、当該プログラムに従って各種処理を実行する。例えば、制御部１４は通信部１９と協働して、サーバ２の撮影オーダ情報記憶部２８に記憶された撮影オーダ情報リストをネットワーク８を介して受信する。また、放射線画像検出装置６から基地局５を介して無線通信により放射線画像データを受信し、この放射線画像データに対してＲＯＭ１６に格納される画像処理条件に基づいて正規化処理および階調処理等の画像処理を行うようになっている。更に、入力操作部１８から入力を受けて、後述する記憶部２１に記憶された撮影オーダ情報リストの中から一の撮影オーダ情報を選択する。すなわち、この制御部１４が本実施形態において選択手段に相当する。
【００３２】
記憶部２１は、サーバ２から送信されて通信部１９を介して受信した撮影オーダ情報リストや放射線画像検出装置６から送信された放射線画像データを記憶したり、また撮影オーダ情報と放射線画像データとを対応付けて記憶したりする。
〈放射線画像検出装置〉
放射線画像検出装置６は、放射線画像撮影装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテＦＰＤ装置である。
【００３３】
以下、図３及び図４を用いて、放射線画像検出装置６の構造について説明する。図３は、放射線画像検出装置６の斜視図である。図３に示すように、放射線画像検出装置６は、内部を保護する筐体６１を備えており、カセッテとして携帯可能に構成されている。
【００３４】
筐体６１の内部には、照射された放射線を電気信号に変換する画像データ生成部としての撮像パネル６２が層を成して形成されている。この撮像パネル６２における放射線の照射面側には、入射された放射線の強度に応じて発光を行う発光層（図示せず）が設けられている。
【００３５】
発光層は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３６】
この発光層の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された信号検出部６００が形成されている。なお、１つの光電変換部から出力される信号が、放射線画像データを構成する最小単位となる１画素に相当する信号となる。
【００３７】
ここで、撮像パネル６２の回路構成について説明する。図４は、光電変換部を二次元に配列した信号検出部６００の等価回路図である。図４に示すように、光電変換部の構成は、フォトダイオード６０１と、フォトダイオード６０１で蓄積された電気エネルギーをスイッチングにより電気信号として取り出す薄膜トランジスタ（Ｔｈｉｎ  Ｆｉｌｍ  Ｔｒａｎｓｉｓｔｏｒ：ＴＦＴ）６０２とから構成されている。取り出された電気信号は、増幅器６０３により信号読み出し回路６０８が検出可能なレベルにまで増幅される。なお、増幅器６０３には、ＴＦＴ６０２とコンデンサで構成された図示しないリセット回路が接続されており、ＴＦＴ６０２にスイッチを入れることにより蓄積された電気信号をリセットするリセット動作が行われる。
【００３８】
画素を構成する光電変換部それぞれの間には、走査線Ｌｌと信号線Ｌｒが直交するように配設されている。前述のフォトダイオード６０１の一端にはＴＦＴ６０２が接続されており、このＴＦＴ６０２を介して信号線Ｌｒに接続されている。一方、フォトダイオード６０１の他端は、各行に配された隣接するフォトダイオード６０１の一端と接続されて共通のバイアス線Ｌｂを通じてバイアス電源６０４に接続されている。このバイアス電源６０４の一端は制御部６０に接続され、制御部６０からの指示によりバイアス線Ｌｂを通じてフォトダイオード６０１に電圧がかかる。
【００３９】
また各行に配されたＴＦＴ６０２のゲートは、共通の走査線Ｌｌに接続されており、走査線Ｌｌは、各光電変換素子にパルスを送る走査駆動回路６０９を介して制御部６０に接続されている。同様に、各列に配されたフォトダイオード６０１の一端は、共通の信号線Ｌｒに接続されて制御部６０に制御される信号読み出し回路６０８に接続されている。信号読み出し回路６０８には、撮像パネル６２から近い順に、増幅器６０３、サンプルホールド回路６０５、アナログマルチプレクサ６０６、Ａ／Ｄ変換機６０７が共通の信号線Ｌｒ上に配されている。
【００４０】
信号読み出し時においては、走査駆動回路６０９が駆動してＴＦＴ６０２を通電状態とすることで、フォトダイオード６０１に蓄積された電荷が電気信号として増幅器６０３に送信される。この電気信号は、増幅器６０３により信号読み出し回路６０８が検出可能なレベルにまで増幅される。そして、増幅器６０３の電圧値はサンプルホールド回路６０５で一時的保持された後、アナログマルチプレクサ６０６に与えられる。
【００４１】
アナログマルチプレクサ６０６では、得られた電圧値をシリアルな電気信号に変換してＡ／Ｄ変換機６０７に送信し、Ａ／Ｄ変換機６０７ではこの電気信号をデジタルデータに変換する。このようにして、撮像パネル６２により放射線画像データが生成される。
【００４２】
図３に戻り、放射線画像検出装置６は、その他として画像記憶部６６、電源部６７、充電用端子６９などを備えている。
【００４３】
画像記憶部６６は、不揮発性メモリやフラッシュメモリなどの書き換え可能なメモリ等からなり、撮像パネル６２から出力された数枚〜数十枚程度の放射線画像データを記憶することが可能である。この画像記憶部６６は内蔵型のメモリでもよいし、メモリカード等の着脱可能なメモリでもよい。
【００４４】
電源部６７は、放射線画像検出装置６を構成する複数の駆動部（制御部６０、撮像パネル６２、画像記憶部６６など）に電力を供給する。この電源部６７は、例えば予備電池６７１と充電自在な充電池６７２とで構成されており、充電用端子６９を図示しないクレードルに接続することにより、充電池６７２を充電することが可能である。
【００４５】
図８乃至図１０は、ＲＩＳ１の動作を説明するフローチャートである。これらの図を参照しつつ、一の放射線画像検出装置６により複数の放射線画像データを生成し、この複数の放射線画像データをコンソール７に送信する一連の動作を説明する。なお、この実施形態においては、予め、医師や受付担当者がサーバ２の入力操作部２９を操作することにより放射線撮影に係る複数の撮影オーダ情報が入力され、図６に示す撮影オーダ情報リストがサーバ２の撮影オーダ情報記憶部２８に記憶されているものとする。また、説明の簡略化のため、以下においては一のコンソール７を取り上げて説明するが、サーバ２に接続されている他の複数のコンソールも同様の処理を行うことができる。
【００４６】
まず図８に示すように、放射線撮影を開始するにあたり、医師又は放射線技師等の操作者がコンソール７の入力操作部１８を操作し、放射線撮影を開始する旨の情報を入力する。コンソール７の制御部１４は、入力操作部１８から放射線撮影を開始する旨の情報を受けると、サーバ２に撮影オーダ情報リストの要求信号を送信する（ステップＳ１）。
【００４７】
サーバ２の制御部２５は、コンソール７からの要求信号を受信すると、撮影オーダ情報記憶部２８に記憶された撮影オーダ情報リストをコンソール７に送信する（ステップＳ２）。コンソール７の制御部１４は、サーバ２から撮影オーダ情報リストを受信すると、当該撮影オーダ情報リストを記憶部２１に記憶する（ステップＳ３）。そして、今回の撮影に対応する撮影オーダ情報を入力するための入力画面１７１を表示部１７に表示する（ステップＳ４）。
【００４８】
図７は、一の撮影オーダ情報を入力する入力画面１７１を表示部１７に表示した例である。図７に示すように、入力画面１７１には、記憶部２１に記憶された撮影オーダ情報リストを表示するための第１の撮影オーダ情報表示欄１７１ａが設けられている。そして、撮影オーダ情報リストに含まれる各撮影オーダ情報は「撮影オーダＩＤ」Ｐ１、「患者ＩＤ」Ｐ２、「患者氏名」Ｐ３、「性別」Ｐ４、「年齢」Ｐ５、「診療科」Ｐ６、「撮影部位」Ｐ７、「撮影方向」Ｐ８を含んで構成されている。また入力画面１７１の下方には、決定ボタン１７１ｂ及びキャンセルボタン１７１ｃが設けられている。
【００４９】
操作者は、表示部１７の第１の撮影オーダ情報表示欄１７１ａを確認しつつ入力操作部１８を操作し、今回の撮影に対応する一の撮影オーダ情報が表示された項目をクリックする。ここでは、「撮影オーダＩＤ」Ｐ１が「００１」である撮影オーダ情報の項目がクリックされたこととする。そして、この撮影オーダ情報の選択に間違いがなければ、続いて決定ボタン１７１ｂをクリックする。なお、撮影オーダ情報の選択を間違えた場合は、キャンセルボタン１７１ｃをクリックして、再度選択をやり直す。
【００５０】
コンソール７の制御部１４は、入力操作部１８からの入力を受けて、記憶部２１に記憶された撮影オーダ情報リストの中から「撮影オーダＩＤ」Ｐ１が「００１」である撮影オーダ情報を選択する（ステップＳ５；選択手段）。そして、選択された一の撮影オーダ情報、コンソール７の識別情報であるコンソールＩＤ及び使用する放射線画像検出装置６の識別情報であるカセッテＩＤとをサーバ２に送信する（ステップＳ６）。
【００５１】
サーバ２の制御部２５は、コンソール７から情報を受信すると、一の撮影オーダ情報とコンソールＩＤとを対応付けてＲＡＭ２６に記憶する（ステップＳ７）。そして、カセッテＩＤを基にして放射線画像検出装置６を送信先として設定し、ＲＡＭ２６に記憶された一の撮影オーダ情報とコンソールＩＤとを送信する（ステップＳ８）。
【００５２】
放射線画像検出装置６の制御部は、サーバ２から撮影オーダ情報とコンソールＩＤを受信すると、これらを記憶部に記憶する（ステップＳ９）。
【００５３】
コンソール７の制御部１４は、一の撮影オーダ情報の選択が終了すると、撮影オーダ情報を追加選択するか否かを促す画面を表示部１７に表示（図示せず）する。そして、入力操作部１８により追加選択を行うとの入力を受けた場合は（ステップＳ１０；Ｙｅｓ）、追加選択サブルーチン処理を行う（ステップＳ１１）。
【００５４】
ここで、追加選択サブルーチン処理の説明をする。図１０は、追加選択サブルーチン処理を示すフローチャートである。
【００５５】
図１０に示すように、入力操作部１８から追加選択の入力を受けると、コンソール７の制御部１４は、入力画面１７１を表示部１７に表示する（ステップＳ１１１）。このステップにおいては、ステップＳ５で選択された撮影オーダ情報を表示しない、あるいは入力できないように構成されているのが好ましい。
【００５６】
操作者は、入力画面１７１を確認しつつ入力操作部１８を操作し、ステップＳ５で選択した撮影オーダ情報とは異なる他の撮影オーダ情報の項目をクリックする。ここでは、「撮影オーダＩＤ」Ｐ１が「００２」である撮影オーダ情報の項目がクリックされたこととする。
【００５７】
コンソール７の制御部１４は、入力操作部１８からの入力を受けて、「撮影オーダＩＤ」Ｐ１が「００２」である撮影オーダ情報を、記憶部２１に記憶された複数の撮影オーダ情報の中から追加選択する（ステップＳ１１２）。そして、サーバ２に、追加選択された他の撮影オーダ情報とコンソール７のコンソールＩＤとを送信する（ステップＳ１１３）。
【００５８】
サーバ２の制御部２５は、コンソール７から他の撮影オーダ情報とコンソールＩＤを受信すると、当該コンソールＩＤに基づいてステップＳ７でＲＡＭ２６に記憶した一の撮影オーダ情報の呼び出す。そして、この一の撮影オーダ情報と他の撮影オーダ情報とが所定の関係を有するか否かを判別する（ステップＳ１１４；判別手段）。具体的には、一の撮影オーダ情報に含まれる「患者ＩＤ」Ｐ２と他の撮影オーダ情報に含まれる「患者ＩＤ」Ｐ２とが同一であるか否か、すなわち、他の撮影オーダ情報の「患者ＩＤ」Ｐ２が「１０００８５」であるか否かを判別する。そして、一の撮影オーダ情報と他の撮影オーダ情報は「患者ＩＤ」Ｐ２が「１０００８５」で同一であるため（ステップＳ１１５：Ｙｅｓ）、他の撮影オーダ情報の追加選択を許可したとして、放射線画像検出装置６に他の撮影オーダ情報を送信する（ステップＳ１１６；許可手段）。なお、一の撮影オーダ情報と他の撮影オーダ情報の「患者ＩＤ」Ｐ２が同一でない場合は（ステップＳ１１５：Ｎｏ）、他の撮影オーダ情報の追加選択を許可せず、放射線画像検出装置６に他の撮影オーダ情報を送信しない。
【００５９】
放射線画像検出装置６の制御部は、サーバ２から他の撮影オーダ情報を受信すると、これを一の撮影オーダ情報と対応付けて記憶部に記憶する（ステップＳ１１７）。また、コンソール７の制御部１４は、サーバ２から判別結果信号を受信し、判別結果を示す判別結果画面（図示せず）を表示部１７に表示する（ステップＳ１１８）。そして、再度、撮影オーダ情報の追加選択がある場合は（ステップＳ１１９：Ｙｅｓ）、上述したステップＳ１１１〜Ｓ１１８を繰り返す。通常、１度の撮影フローでは、複数の撮影オーダ情報を選択し、複数の放射線撮影をまとめて実施する方が撮影の効率が良いため、ここでは、「撮影オーダＩＤ」Ｐ１が「００２」及び「００３」である撮影オーダ情報が追加選択され、放射線画像検出装置６の記憶部に記憶されたこととする。その他の撮影オーダ情報は、一の撮影オーダ情報と「患者ＩＤ」Ｐ２が異なるため、本実施の形態では追加選択が許可されない。
【００６０】
このように、撮影オーダ情報の選択が終了すると、サーバ２の制御部２５は、選択された撮影オーダ情報に含まれる撮影情報を撮影操作装置４に送信し、撮影準備が完了となる。操作者は、上述した撮影準備が完了すると、選択された放射線画像検出装置６を臥位撮影台１１の検出装置装着口１１ａに装着する。このとき、放射線画像検出装置６は撮影待機状態となる（ステップＳ１２）。また操作者は、撮影情報に示された撮影部位が放射線画像撮影装置３に対して適切な位置となるよう、患者１２の撮影部位を臥位撮影台１１に置く。そして、選択された撮影オーダ情報の選択順にしたがい、コンソール７から受信した撮影情報に基づいて撮影操作装置４を制御することにより、放射線画像撮影装置３から制御情報に基づいた放射線が照射される。
【００６１】
放射線画像検出装置６の制御部６０は、放射線画像撮影装置３から照射されて患者１２を透過した放射線を検出し、上述した過程で放射線画像データを生成して画像記憶部６６に記憶する（ステップＳ１３）。これにより、画像記憶部６６は一の撮影オーダ情報に対応する一撮影分の放射線画像データを記憶することになる。そして、放射線画像データが生成された生成順と撮影オーダ情報が選択された選択順とから放射線画像データと撮影オーダ情報とを対応付け（ステップＳ１４）、この対応関係情報を記憶部に記憶する。なお、本実施の形態では、上述したように、放射線画像検出装置６に対応して三つの撮影オーダ情報が選択されているので、ステップＳ１３、１４の動作が三回繰り返され、三つの撮影オーダ情報に対応する三撮影分の放射線画像データを画像記憶部６６に記憶する。この複数回の撮影を行う際には、複数の放射線撮影室をまたがって撮影することももちろん可能である。
【００６２】
操作者は、撮影が終了すると（ステップＳ１５：Ｙｅｓ）、臥位撮影台１１の検出装置装着口１１ａから放射線画像検出装置６を取り出し、放射線画像検出装置６の送信ボタン（図示せず）を押下する。放射線画像検出装置６の制御部６０は、送信ボタンの入力を受けると、画像記憶部６６に記憶された三撮影分の放射線画像データにカセッテＩＤを付帯させ、これらを通信部８３から基地局５を介して無線通信により送信する（ステップＳ１６）。このとき、三撮影分の放射線画像データ及びカセッテＩＤの送信先は、予め受信したコンソールＩＤを基にして決定され、ここではコンソール７が送信先として設定される。
【００６３】
コンソール７の制御部１４は、放射線画像検出装置６から放射線画像データ、撮影オーダ情報及び対応関係情報を受信し（ステップＳ１７）、記憶部２１に記憶する。そして、対応関係情報に基づいて、放射線画像データと撮影オーダ情報とを対応付けた状態を示す確認画面（図示せず）を表示部１７に表示する（ステップＳ１８）。
【００６４】
操作者は、表示部１７に表示された確認画面を確認し、これらの対応関係に誤りがなければ（ステップＳ１９：Ｙｅｓ）、本フローは終了となる。一方、対応関係に誤りがあれば（ステップＳ１９：Ｎｏ）、入力操作部１８を操作して修正する（ステップＳ２０）。本実施の形態においては、上述したように、撮影オーダ情報として同一患者のもののみが選択されており、この撮影オーダ情報に基づいて放射線撮影が行われている。このため、操作者は複数の放射線画像データをそれぞれ見分けることができる。したがって、喩え、放射線画像検出装置６で放射線画像データと撮影オーダ情報との対応付けを誤って行っていたとしても、どの放射線画像データがどの撮影オーダ情報に対応するものであるかを判断することが可能となり、正確な対応付けに修正することができる。
【００６５】
このように、本実施の形態においては、撮影オーダ情報を放射線画像検出装置６に送信するように構成しており、撮影オーダ情報が選択された順（送信された順）に放射線撮影を行うことができれば、撮影オーダ情報と放射線画像データとを正確に対応付けることができる。しかし、放射線画像検出装置６の特性を最大限に生かして一度に多数の放射線撮影を行う場合、操作者は多数ある撮影オーダ情報の選択順を正確に覚えておくことは困難であり、撮影オーダ情報の順番と放射線撮影の順番とを誤ってしまう可能性が高い。一方、放射線画像検出装置６に撮影オーダ情報を表示するための表示部を設け、当該表示部に表示された撮影オーダ情報を確認しながら放射線撮影を行う構成にすると、操作者は上述したような撮影オーダ情報を覚える必要がなくなる。しかし、この構成では、放射線画像検出装置６に表示部を設けなければならず、装置自体が高価になってしまうとともに破損しやすくなってしまう。
【００６６】
そこで、本実施の形態においては、複数撮影分の放射線画像データにそれぞれ対応する複数の撮影オーダ情報を選択するにあたり、放射線画像検出装置６は、一の撮影オーダ情報の「患者ＩＤ」Ｐ２と他の撮影オーダ情報の「患者ＩＤ」Ｐ２とが同一であるか否かを判別し、同一である他の撮影オーダ情報のみに追加選択の許可を与える構成としている。
【００６７】
通常、同一患者を複数回撮影する場合では、１撮影フロー中に同一部位や類似する部位を重複して撮影する可能性は低いため、一の放射線画像検出装置６により同一患者を複数回撮影し、生成された複数撮影分の放射線画像データを同時に記憶させたとしても、操作者は容易に放射線画像データを見分けることができる。したがって、喩え、放射線画像検出装置６で放射線画像データと撮影オーダ情報との対応付けを誤って行ったとしても、操作者はその誤った対応付けに容易に気づくことができ、これを正確に修正することができるので、放射線画像データの取り違えを防止することが可能となる。また、放射線画像検出装置６に表示部を設ける必要もなくなり、安価で破損しにくい装置の提供が可能となる。
【００６８】
また、一の撮影オーダ情報の「患者ＩＤ」Ｐ２と他の撮影オーダ情報の「患者ＩＤ」Ｐ２とが同一であるか否かをサーバ２が判断する構成としたので、複数設けられたコンソール７や放射線画像検出装置６のそれぞれに当該判断をするための機構を導入する必要がない。このため、システム構成が簡素化するとともに既存のシステムに導入し易く、システム自体を安価に構成することが可能となる。
【００６９】
また、追加で撮影オーダ情報を選択するときに、医師自身がどの撮影オーダ情報を選択すれば放射線画像データを見分けることができるのかをわざわざ判断する必要がなくなるので、作業効率が向上する。
【００７０】
なお、上述した実施の形態では、ステップＳ５で一の撮影オーダ情報を選択するにあたり、操作者がコンソール７の入力操作部１８を操作して１つの撮影オーダ情報を入力し、制御部１４はこの入力操作部１８から入力された１つの撮影オーダ情報を一の撮影オーダ情報として選択してサーバ２に送信するようにした。また、撮影オーダ情報を追加選択するときは、前記一の撮影オーダ情報をサーバ２に送信した後、ステップＳ１１において、制御部１４は別途、入力操作部１８から追加選択する撮影オーダ情報の入力を受け、この撮影オーダ情報をサーバ２に送信するようにした。しかし、本発明はこの構成に限られることなく、一の撮影オーダ情報と追加選択する撮影オーダ情報とを入力操作部１８により同時に入力し、これらをまとめてサーバ２に送信する構成にしても良い。
【００７１】
具体的には、例えば一の撮影オーダ情報を入力する段階で、操作者が入力操作部１８を操作して複数の撮影オーダ情報をまとめて入力した場合には、コンソール７の制御部１４は最初に入力を受けた撮影オーダ情報を一の撮影オーダ情報として選択する。その後、コンソール７の制御部１４は入力操作部１８により入力を受けた全ての撮影オーダ情報をサーバ２に送信し、サーバ２の制御部２５は、コンソール７により選択された一の撮影オーダ情報と、受信した全ての撮影オーダ情報うち前記一の撮影オーダ情報を除く他の撮影オーダ情報と、が所定の関係を有するか否かを判別するように構成しても良い。また、入力操作部１８により複数の撮影オーダ情報の入力を受けた段階では一の撮影オーダ情報を選択せず、例えば、複数の撮影オーダ情報をまとめてサーバ２に送信するときに、最初に送信された撮影オーダ情報を一の撮影オーダ情報として選択するように構成しても良い。そして、サーバ２の制御部２５は、一の撮影オーダ情報及び所定の関係を有すると判別された撮影オーダ情報を放射線画像検出装置６に送信するとともに、所定の関係を有さないと判断された撮影オーダ情報をコンソール７に通知し、コンソール７の表示部１７に判別結果画面を表示する。
【００７２】
また、上述の説明では、選択された一の撮影オーダ情報と所定の関係を有する撮影オーダ情報として、選択された一の撮影オーダ情報の「患者ＩＤ」Ｐ２と同一の「患者ＩＤ」Ｐ２を有するものとして設定したが、もちろんこれに限られるものではない。例えば、選択された一の撮影オーダ情報と所定の関係を有するものとして、選択された一の撮影オーダ情報に含まれる「撮影部位」Ｐ７と異なる「撮影部位」Ｐ７を有する撮影オーダ情報と設定したり、「撮影部位」Ｐ７及び「撮影方向」Ｐ８のうち少なくとも一方が異なる「撮影部位」Ｐ７及び「撮影方向」Ｐ８を有する撮影オーダ情報と設定したりしても良い。
【００７３】
このように設定することで、異なる患者を撮影した複数の放射線画像データを一の放射線画像検出装置６に同時に記憶させたとしても、操作者はどの放射線画像データがどの撮影オーダ情報に対応するものか見分けることが可能である。したがって、１度の撮影フローで複数の患者をまたがって放射線撮影を実施することが可能となり、撮影効率が一層向上する。一方、例えば、乳房部位の上下方向（ＣＣともいう）のＬ、Ｒを撮影する場合には、「撮影方向」Ｐ８が異なったとしてもそれらの放射線画像データの見分けがつかない。この乳房部位のＣＣ−Ｌ、ＣＣ−Ｒのように放射線画像データの見分けがつかない場合は、同時に選択することを禁止する。このように、本発明における所定の関係を有するとは、操作者が放射線画像データを見分けることができる範囲で、個々の作業形態に応じて適宜設定することが可能である。
【００７４】
また、追加で撮影オーダ情報を選択する際には、ステップ１１の追加選択サブルーチンで説明したように、コンソール７の入力操作部１８により入力を受けた撮影オーダ情報を一つずつ判別するように構成した。しかし、上述したように、１度の撮影フローでは、複数の撮影オーダ情報を選択し、複数の放射線撮影をまとめて実施する方が撮影の効率が良い。このため、サーバ２は一の撮影オーダ情報を受信すると、当該一の撮影オーダ情報とサーバ２に記憶された複数の撮影オーダ情報のそれぞれとを自動的にまとめて判別するようにしても構わない。このように構成することで、医師は自ら撮影オーダ情報を追加で選択する必要がなくなるため作業効率が向上するともに、１度の撮影フローで撮影可能な全ての撮影オーダ情報が自動的に選択され、撮影オーダ情報の選択漏れを防止することが可能となる。
【図面の簡単な説明】
【００７５】
【図１】本発明に係るＲＩＳにおける一実施形態の概略構成を示す図である。
【図２】コンソールの要部構成を示すブロック図である。
【図３】放射線画像検出装置の斜視図である。
【図４】光電変換部を二次元に配列した信号検出部の等価回路図である。
【図５】サーバの要部構成を示すブロック図である。
【図６】撮影オーダ情報リストの一例を示す図である。
【図７】一の撮影オーダ情報を入力する入力画面を表示部に表示した例である。
【図８】ＲＩＳの動作を説明するフローチャートである。
【図９】ＲＩＳの動作を説明するフローチャートである。
【図１０】追加選択サブルーチンを示すフローチャートである。
【符号の説明】
【００７６】
１  ＲＩＳ
２  サーバ
６  放射線画像検出装置
７  コンソール
１４、２５  制御部
１５、２６  ＲＡＭ
１６、２７  ＲＯＭ
１７  表示部
１８  入力操作部
２１  記憶部
２８  撮影オーダ情報記憶部
【図１】
2008154720.tif 000003
【図２】
2008154720.tif 000004
【図３】
2008154720.tif 000005
【図４】
2008154720.tif 000006
【図５】
2008154720.tif 000007
【図６】
2008154720.tif 000008
【図７】
2008154720.tif 000009
【図８】
2008154720.tif 000010
【図９】
2008154720.tif 000011
【図１０】
2008154720.tif 000012